(57)【要約】【課題】セルに異常加熱が生じ、その周囲の樹脂部品が融解しても、融解樹脂によって脱ガス機構の作動を阻害することの無い組み電池装置を提供する。【解決手段】複数の二次電池１１を組み合わせた組み電池装置であって、二次電池１１は、本体ケース１１ａと、その上面に形成され、上部に脱ガス部１５を有する突状部１１ｂとからなる。二次電池１１は、箱状の樹脂部品１６内に複数個収納されており、各突状部１１ｂには、その脱ガス部１５を間隔を保って覆う保護部材１８をそれぞれ設けている。この保護部材１８は、上方向以外の方向に開放部１８ａを有する。さらに、その材質は樹脂部品よりも高い融解温度特性を有する。【選択図】図１
2009231130.tif 000002
【特許請求の範囲】
【請求項１】
複数の二次電池を組み合わせた組み電池装置であって、
前記二次電池は、本体ケースと、この本体ケースの上面に形成され、上部に脱ガス部を有する突状部とを有し、
また、前記二次電池は、箱状の樹脂部品内に複数個収納されており、
前記各突状部には、その脱ガス部を間隔を保って覆い、上方向以外の方向に開放部を有する、前記樹脂部品よりも高い融解温度特性を有する材料の保護部材をそれぞれ設けた
ことを特徴とする組み電池装置。
【発明の詳細な説明】
【技術分野】
【０００１】
本発明は、複数の二次電池を組み合わせた組み電池装置に関する。
【背景技術】
【０００２】
一般に、複数の角型の二次電池（以下、セルとも呼ぶ）を組み合わせて使用する組み電池装置（例えば、特許文献1参照）が各種用途に用いられている。このような組み電池装置は、セルを平面内の縦横に配置しており、多くの構成では、各セルの上部等に配置される端子間を導体（以下、ブスバーと呼ぶ）にて接続している。
【０００３】
このような組み電池装置に用いられる二次電池には、充放電時等に発生する内部ガスの排出用として脱ガス機構が設けられている。この脱ガス機構は、セルの異常過熱時には内部ガスの排出により、内部圧力上昇によるセルの破裂を防止し、安全性をもたらせている。また、組み電池として、このセルを複数個組み合わせて使用する場合（以下、パックと呼ぶ）には、セルの保持部材や、組み合わされた複数のセルを収納する外装部材として樹脂部品が使用される。
【特許文献１】特開２００１−２５６９３７号公報
【発明の開示】
【発明が解決しようとする課題】
【０００４】
このようなパックとしての使用状態において、セルに異常過熱が生じると、このセルを保持、或いは収納している樹脂部品が融解することがある。セルには、前述のように、その上部に脱ガス機構が設けられており、この脱ガス機構の上方に位置する樹脂部品が融解すると、この融解樹脂が落下して脱ガス機構に付着し、脱ガス機構の作動を阻害する可能性がある。
【０００５】
本発明の目的は、セルに異常加熱が生じ、その周囲の樹脂部品が融解しても、融解樹脂によって脱ガス機構の作動を阻害することの無い組み電池装置を提供することにある。
【課題を解決するための手段】
【０００６】
本発明の組み電池装置は、複数の二次電池を組み合わせた組み電池装置であって、前記二次電池は、本体ケースと、この本体ケースの上面に形成され、上部に脱ガス部を有する突状部とを有し、また、前記二次電池は、箱状の樹脂部品内に複数個収納されており、前記各突状部には、その脱ガス部を間隔を保って覆い、上方向以外の方向に開放部を有する、前記樹脂部品よりも高い融解温度特性を有する材料の保護部材をそれぞれ設けたことを特徴とする。
【発明の効果】
【０００７】
本発明によれば、融解樹脂の脱ガス部への付着を有効に防止でき、二次電池の脱ガス作動を維持して内部圧力上昇による破裂などの不具合を防止することができる。
【発明を実施するための最良の形態】
【０００８】
以下、本発明による組み電池装置の一実施の形態について、図面を用いて詳細に説明する。
【０００９】
この組み電池装置は複数の二次電池を組み合わせたもので、その二次電池（セル）１１は、図１及び図２で示すように、本体ケース１１ａと、この本体ケース１１ａの上面に形成された突状部１１ｂとからなる。このセル１１は、同一平面上に、複数個が縦横に配置されて組み電池装置を構成しており、図１で示すように、図示横方向に間隔を保って複数個配置されると共に、紙面と直交する縦方向にも複数個配置されている。
【００１０】
このセル１１の突状部１１ｂの側面には接続用の導電面が形成されており、ここには図２で示すように、他のセル（図１の紙面と直交する方向に配置されている）との接続用のブスバー１２が、ボルト等のねじ体１３により一体的に締め付け固定されている。また、このセル１１の突状部１１ｂの上部には脱ガス部１５が設けられている。
【００１１】
この脱ガス部１５は、セル１１の充・放電に伴い本体ケース１１ａ内の温度が上昇し、かつ圧力が上昇すると、その発生内圧により開動作して、本体ケース１１ａ内のガスを排出させる、弁状の脱ガス機構を有する。この脱ガス機構としては、より単純に、スリット状の通気部を形成したものでもよく、これらはセル１１の設置条件や、周囲環境などにより適宜選択すればよい。
【００１２】
セル１１は、その複数個が組み合わせられてパックを構成する場合、図２で示したブスバー１２により他のセル１１と接続された状態で、図１で示すように、箱状の樹脂部品（以下、外装部材として説明する）１６内に収納され、図示しない樹脂部品による支持部材により所定の位置関係を保って保持されている。また、外装部材１６内に収納された各セル１１の突状部１１ｂには、保護部材１８がそれぞれ設けられている。
【００１３】
この保護部材１８は、各セル１１の突状部１１ｂの上部に設けられた脱ガス部１５を間隔を保って覆い、上方向以外の方向に開放部１８ａを有する。例えば、図示の例では、保護部材１８は三角屋根状に形成されており、その屋根部分にて突状部１１ｂの上面に形成された図２で示した脱ガス部１５を覆っている。開放部１８ａは、三角屋根の前後部（紙面と直交する方向の前後）にそれぞれ設けられており、脱ガス部１５から排気されたガスを、三角屋根の前後から外装部材１６内に導出する。
【００１４】
また、この保護部材１８は、前述の外装部材１６や支持部材として用いられる樹脂部品よりも高い融解温度特性を有する材料、例えば金属等によって作られる。したがって、セル１１の異常加熱により、その周囲の樹脂部品が融解しても、保護部材１８が融解することはなく、セル１１の脱ガス部１５を融解樹脂から保護することができる。
【００１５】
このように、セル１１の脱ガス部１５の上部に、周囲の樹脂部品よりも高い融解温度を持つ材料で、上方向以外の方向に開放部を有する保護部材１８を設けたので、セルの異常過熱時に融解樹脂が脱ガス部１５に直ちに付着することを防止することができる。また、保護部材１８の開放部１８ａを、脱ガス部１５の有する排気開口面積より広い面積とすることにより、融解樹脂が排気開口部を閉塞する可能性を低減することができる。
【００１６】
なお、この保護部材１８は、セル１１を構成する本体ケース１１ａの一部とすることもできる。
【００１７】
これらの結果、セル１１の異常過熱時の内部圧力上昇によるセルの破裂防止性能を高めることが出来る。
【図面の簡単な説明】
【００１８】
【図１】本発明による組み電池装置の一実施の形態を示す正面図である。
【図２】同上一実施の形態における二次電池の接続関係を説明する斜視図である。
【符号の説明】
【００１９】
１１    二次電池（セル）
１１ａ    本体ケース
１１ｂ    突状部
１５    脱ガス部
１６    箱状の樹脂部品
１８    保護部材
１８ａ    開放部
【図１】
2009231130.tif 000003
【図２】
2009231130.tif 000004